(57)【要約】  制御装置（２）は、心的状態を示す心的状態情報と、屋内環境の良好な状態を示す環境状態情報をユーザ別に対応付けた学習情報ＤＢ（２４５）を備える。制御装置（２）のユーザインタフェース部（２０１）は、ユーザが選択した心的状態を操作端末（３）から取得する。制御装置（２）の機器制御部（２０３）は、取得されたユーザの心的状態と学習情報ＤＢ（２４５）とに基づいて、空調機（６）と照明器（７）を制御する。制御装置（２）の学習部（２０４）は、取得された心的状態と、屋内環境の状態との関係を学習し、学習した関係に基づいて学習情報ＤＢ（２４５）を更新する。
2019087234.tif 000002
【特許請求の範囲】
【請求項１】
屋内環境を調整する調整機器を制御する制御装置であって、
心的状態を示す心的状態情報と、前記屋内環境の良好な状態を示す環境状態情報をユーザ別に対応付けたデータベースと、
ユーザが選択した心的状態を取得する取得手段と、
前記取得された心的状態と前記データベースとに基づいて前記調整機器を制御する機器制御手段と、
前記取得された心的状態と、前記屋内環境の状態との関係を学習し、学習した関係に基づいて前記データベースを更新する学習手段と、を備える、制御装置。
【請求項２】
前記取得手段は、ユーザから前記心的状態の選択を受け付ける操作端末との通信により、前記ユーザが選択した心的状態を取得する、請求項１に記載の制御装置。
【請求項３】
前記操作端末は、前記調整機器の調整対象エリアに居るユーザから屋内環境の状態の変更をさらに受け付け、
前記学習手段は、前記操作端末が前記屋内環境の状態の変更を受け付けてから、前記ユーザが前記調整対象エリアから退出するまでの経過時間が予め定めた基準時間以上の場合、前記取得された心的状態と、前記屋内環境の状態との関係を学習する、請求項２に記載の制御装置。
【請求項４】
前記機器制御手段は、前記取得手段により取得された複数のユーザの各々の心的状態と前記データベースとに基づいて前記調整機器を制御する、請求項１又は２に記載の制御装置。
【請求項５】
屋内環境を調整する調整機器と、
ユーザから心的状態の選択を受け付ける操作端末と、
前記調整機器を制御する制御装置と、を備えた環境調整システムであって、
前記制御装置は、
心的状態を示す心的状態情報と、前記屋内環境の良好な状態を示す環境状態情報をユーザ別に対応付けたデータベースと、
前記操作端末との通信により、前記ユーザが選択した心的状態を取得する取得手段と、
前記取得された心的状態と前記データベースとに基づいて前記調整機器を制御する機器制御手段と、
前記取得された心的状態と、前記屋内環境の状態との関係を学習し、学習した関係に基づいて前記データベースを更新する学習手段と、を備える、環境調整システム。
【請求項６】
ユーザが選択した心的状態を取得し、
心的状態を示す心的状態情報と、屋内環境の良好な状態を示す環境状態情報をユーザ別に対応付けたデータベースと、取得した心的状態とに基づいて、前記屋内環境を調整する調整機器を制御し、
前記取得した心的状態と、前記屋内環境の状態との関係を学習し、学習した関係に基づいて前記データベースを更新する、環境調整方法。
【請求項７】
心的状態を示す心的状態情報と、屋内環境の良好な状態を示す環境状態情報をユーザ別に対応付けたデータベースを備えたコンピュータを、
ユーザが選択した心的状態を取得する取得手段、
前記取得された心的状態と前記データベースとに基づいて前記調整機器を制御する機器制御手段、
前記取得された心的状態と、前記屋内環境の状態との関係を学習し、学習した関係に基づいて前記データベースを更新する学習手段、として機能させる、プログラム。
【発明の詳細な説明】
【技術分野】
【０００１】
本発明は、屋内環境を調整する技術に関する。
【背景技術】
【０００２】
屋内の空気状態、明るさ等の屋内環境に対する感覚は、個々人で様々であり、一般的に快適とされる値でこれらの環境を調整しても、適切に当該屋内に居る人の快適性を維持するのは困難である。【０００３】
これに対し、利用者の環境に対する嗜好を勘案して室内の環境を調整する技術が提案されている（例えば、特許文献１）。特許文献１で提案される環境調整システムでは、環境サーバが、予め登録された利用者の環境に対する嗜好情報（例えば、冷房の程度、風の強さ等）と、環境センサを介してリアルタイムに検知される環境情報とを照合して、利用者の嗜好に沿うように、環境設備に対して環境調整を指示する。
【先行技術文献】
【特許文献】
【０００４】
【特許文献１】特開２００４−１０１０４８号公報
【発明の概要】
【発明が解決しようとする課題】
【０００５】
ところで、屋内環境に対する快適感は、同じ人であっても、その時の心的状態（例えば、リラックスしたい、作業等に集中したい等）によって変化するものといえる。そして、当然ながら、同じ心的状態であっても、屋内環境に対する快適感は、個々人で様々である。【０００６】
しかしながら、個々人の心的状態を勘案して屋内環境を調整する技術について、未だ有意な技術の提案がなされていないのが実情である。【０００７】
本発明は、上記実情に鑑みてなされたものであり、個々のユーザの心的状態を勘案して屋内環境を調整することができる制御装置等を提供することを目的とする。
【課題を解決するための手段】
【０００８】
上記目的を達成するため、本発明に係る制御装置は、
屋内環境を調整する調整機器を制御する制御装置であって、
心的状態を示す心的状態情報と、前記屋内環境の良好な状態を示す環境状態情報をユーザ別に対応付けたデータベースと、
ユーザが選択した心的状態を取得する取得手段と、
前記取得された心的状態と前記データベースとに基づいて前記調整機器を制御する機器制御手段と、
前記取得された心的状態と、前記屋内環境の状態との関係を学習し、学習した関係に基づいて前記データベースを更新する学習手段と、を備える。
【発明の効果】
【０００９】
本発明によれば、個々のユーザの心的状態を勘案して屋内環境を適切に調整することが可能となる。
【図面の簡単な説明】
【００１０】
【図１】本発明の実施形態１に係る環境調整システムの全体構成を示す図
【図２】実施形態１の制御装置の構成を示すブロック図
【図３】実施形態１の制御装置が備える二次記憶装置について説明するための図
【図４】実施形態１の操作端末の構成を示すブロック図
【図５】実施形態１の操作端末で表示されるトップメニュー画面の一例を示す図
【図６】実施形態１の操作端末で表示されるユーザ認証画面の一例を示す図
【図７】実施形態１の操作端末で表示される心的状態選択画面の一例を示す図
【図８】実施形態１の操作端末で表示される変更受付画面の一例を示す図
【図９】実施形態１の制御装置の機能構成を示すブロック図
【図１０】実施形態１の入室履歴ＤＢを説明するための図
【図１１】実施形態１の操作履歴ＤＢを説明するための図
【図１２】実施形態１の個人情報ＤＢを説明するための図
【図１３】実施形態１の学習情報ＤＢを説明するための図
【図１４】実施形態１の学習要否判定について説明するための図
【図１５】実施形態１の環境調整処理の手順を示すフローチャート
【図１６】実施形態１の学習処理の手順を示すフローチャート
【図１７】実施形態１の変形例に係る環境調整システムの全体構成を示す図
【図１８】本発明の実施形態２に係る環境調整システムの全体構成を示す図
【図１９】実施形態２の制御装置が備える二次記憶装置について説明するための図
【図２０】実施形態２の制御装置の機能構成を示すブロック図
【図２１】実施形態２の操作端末で表示されるトップメニュー画面の一例を示す図
【図２２】実施形態２の操作端末で表示される要望確認画面の一例を示す図
【図２３】実施形態２の操作端末で表示される要望受付画面の一例を示す図
【図２４】実施形態２の要望履歴ＤＢを説明するための図
【図２５】実施形態２において、複数のユーザが在室する場合の機器制御について説明するための図
【発明を実施するための形態】
【００１１】
以下、本発明の実施形態について図面を参照して詳細に説明する。
【００１２】
実施形態１．
図１は、本発明の実施形態１に係る環境調整システム１の全体構成を示す図である。環境調整システム１は、一般住宅、オフィスビル、宿泊施設、商業施設等における部屋Ａの環境（即ち、屋内環境）を調整するシステムである。環境調整システム１は、制御装置２と、操作端末３と、第１環境センサ４と、第２環境センサ５と、空調機６と、照明器７とを備える。
【００１３】
制御装置２は、例えば、部屋Ａの内外の適切な場所に設置され、部屋Ａに設置された空調機６及び照明器７の動作を制御して、部屋Ａ（即ち、調整対象エリア）の環境を調整する。制御装置２は、図２に示すように、通信インタフェース２０と、ＣＰＵ（Central Processing Unit）２１と、ＲＯＭ（Read Only Memory）２２と、ＲＡＭ（Random Access Memory）２３と、二次記憶装置２４とを備える。これらの構成部は、バス２５を介して相互に接続される。
【００１４】
通信インタフェース２０は、操作端末３、第１環境センサ４、第２環境センサ５、空調機６及び照明器７とそれぞれ通信線８ａ〜８ｅを介して接続し、通信するためのインタフェースである。なお、通信インタフェース２０は、操作端末３、第１環境センサ４、第２環境センサ５、空調機６及び照明器７の全部又は一部と無線通信するためのインタフェースであってもよい。
【００１５】
ＣＰＵ２１は、制御装置２を統括的に制御する。ＲＯＭ２２は、複数のファームウェアとこれらのファームウェアの実行時に使用されるデータを記憶する。ＲＡＭ２３は、ＣＰＵ２１の作業領域として使用される。
【００１６】
二次記憶装置２４は、ＥＥＰＲＯＭ（Electrically Erasable Programmable Read-Only Memory）若しくはフラッシュメモリ等の読み書き可能な不揮発性の半導体メモリ又はＨＤＤ（Hard Disk Drive）等を含んで構成される。二次記憶装置２４には、図３に示すように、環境調整プログラム２４０と、環境履歴ＤＢ２４１と、入室履歴ＤＢ２４２と、操作履歴ＤＢ２４３と、個人情報ＤＢ２４４と、学習情報ＤＢ２４５と、制御履歴ＤＢ２４６とを記憶する。この他にも、二次記憶装置２４には、様々なプログラムと、それらのプログラムの実行時に使用されるデータが記憶される。
【００１７】
環境調整プログラム２４０は、部屋Ａを個々のユーザの心的状態に適応した快適な環境に調整するための処理が記述されたプログラムである。環境履歴ＤＢ２４１、入室履歴ＤＢ２４２、操作履歴ＤＢ２４３、個人情報ＤＢ２４４、学習情報ＤＢ２４５及び制御履歴ＤＢ２４６の詳細と、制御装置２の機能の詳細については後述する。
【００１８】
図１に戻り、操作端末３は、部屋Ａを利用するユーザから、入退室に係る操作と、環境変更に係る操作の入力を受け付ける装置である。操作端末３は、図４に示すように、入力部３０と、表示部３１と、通信インタフェース３２と、制御部３３と、二次記憶装置３４とを備える。これらの構成部は、バス３５を介して相互に接続される。
【００１９】
入力部３０は、例えば、押しボタン、キーボード、マウス、キーパッド、タッチパネル及びタッチパッドの内の１つ以上を含んで構成される。表示部３１は、例えば、液晶ディスプレイ、有機ＥＬディスプレイ、プラズマディスプレイ又はＣＲＴディスプレイである。通信インタフェース３２は、制御装置２と通信線８ａを介して接続し、通信するためのインタフェースである。なお、通信インタフェース３２は、制御装置２と無線通信するためのインタフェースであってもよい。
【００２０】
制御部３３は、何れも図示しないが、ＣＰＵ、ＲＯＭ、ＲＡＭ等を備え、操作端末３を統括的に制御する。二次記憶装置３４は、ＥＥＰＲＯＭ若しくはフラッシュメモリ等の読み書き可能な不揮発性の半導体メモリ又はＨＤＤ等を含んで構成される。二次記憶装置３４は、ユーザから上記の操作を受け付けるためのプログラム（以下、操作受付プログラムという。）を含む各種のプログラムと、それらのプログラムの実行時に使用されるデータを記憶する。
【００２１】
図５に、操作端末３により表示されるトップメニュー画面３００の一例を示す。トップメニュー画面３００には、３つのＧＵＩ（Graphical User Interface）ボタン、即ち、入室ボタン３０１と、退室ボタン３０２と、環境変更ボタン３０２とが設けられている。ユーザは、部屋Ａに入室し、部屋Ａの利用を開始する際、入室に係る操作（以下、入室操作という。）を行う必要がある。そのため、ユーザは、先ず、入室ボタン３０１を押下操作する。入室ボタン３０１が押下操作されると、操作端末３は、図６に示すユーザ認証画面３１０を表示する。
【００２２】
ユーザは予め登録されている自己のユーザネーム及びパスワードをユーザ認証画面３１０の入力フィールド３１１，３１２に入力し、ＧＵＩボタンであるＯＫボタン３１３を押下操作する。ＯＫボタン３１３が押下操作されると、操作端末３は、ユーザにより入力されたユーザネーム及びパスワードを制御装置２に送信し、ユーザの認証を要求する。制御装置２から認証ＯＫが通知されると、操作端末３は、図７に示す心的状態選択画面３２０を表示する。
【００２３】
心的状態選択画面３２０には、３つの心的状態、即ち、“リラックス”、“集中”及び“リフレッシュ”の各々に対応する３つのラジオボタン３２１〜３２３が設けられている。ユーザは、希望する心的状態に対応する何れか１つのラジオボタンにチェックを入れ、ＧＵＩボタンであるＯＫボタン３２４を押下操作する。ＯＫボタン３２４が押下操作されると、操作端末３は、ユーザの入室を制御装置２に通知する。この通知には、当該ユーザのユーザネームと、当該ユーザによりチェックが入れられたラジオボタンに対応する心的状態、即ち、当該ユーザが選択した心的状態を示す情報が含まれる。以上により、ユーザの入室操作は完了する。なお、要求したユーザの認証について、制御装置２から認証エラーが通知された場合、操作端末３は、ユーザに対して、認証エラーになったことを報知し、再度、ユーザに、ユーザネーム及びパスワードの入力を促す。
【００２４】
図５に戻り、部屋Ａの利用が終わり、退室する際、ユーザは退室に係る操作（以下、退室操作という。）を行う。退室操作は、退室ボタン３０２を押下操作することで完了する。退室ボタン３０２が押下操作されると、操作端末３は、制御装置２に、ユーザの退室を通知する。
【００２５】
また、ユーザは、部屋Ａの現在の環境状態を変更したい場合、環境状態の変更に係る操作（以下、環境変更操作という。）を行う。この場合、先ず、ユーザは、トップメニュー画面３００の環境変更ボタン３０３を押下操作する。環境変更ボタン３０３が押下操作されると、操作端末３は、図８に示す変更受付画面３３０を表示する。変更受付画面３３０は、部屋Ａの環境状態の変更をユーザから受け付けるための画面である。変更受付画面３３０の表示当初において、図８に示すように、制御装置２から取得した環境状態を構成する各要素のデータ値が表示される。
【００２６】
詳細には、変更受付画面３３０の表示当初において、図８に示すように、表示フィールド３３１〜３３５には、それぞれ、部屋Ａの現在の室温、湿度、風量、風向及び照度の各データ値が表示される。例えば、表示フィールド３３１には、現在の室温のデータ値が０．５度単位で表示され、表示フィールド３３２には、現在の湿度のデータ値が１％単位で表示され、表示フィールド３３５には、現在の照度のデータ値が１０ｌｘ（ルクス）単位で表示される。
【００２７】
また、表示フィールド３３３には、現在の風量のデータ値が、３段階のレベル、詳細には、“弱”、“中”及び“強”の何れかで表示される。また、表示フィールド３３４には、現在の風向のデータ値が、３つの方向、“下向き”、“水平”及び“上向き”の何れかで表示される。
【００２８】
変更受付画面３３０には、表示フィールド３３１〜３３５の各々に対応付けて、調整ボタン３３６〜３４０が設けられている。調整ボタン３３６〜３４０の各々は、ＧＵＩボタンであり、ＵＰボタンとＤＯＷＮボタンとで構成される。調整ボタン３３６において、ＵＰボタンが１回押下操作されると、表示フィールド３３１に表示される室温のデータ値は０．５度上昇し、一方、ＤＯＷＮボタンが１回押下操作されると、表示フィールド３３１に表示される室温のデータ値は０．５度下降する。
【００２９】
また、調整ボタン３３７において、ＵＰボタンが１回押下操作されると、表示フィールド３３２に表示される湿度のデータ値は１％ポイント上昇し、一方、ＤＯＷＮボタンが１回押下操作されると、表示フィールド３３２に表示される湿度のデータ値は１％ポイント下降する。また、調整ボタン３４０において、ＵＰボタンが１回押下操作されると、表示フィールド３３５に表示される照度のデータ値は１０ｌｘ上昇し、一方、ＤＯＷＮボタンが１回押下操作されると、表示フィールド３３５に表示される照度のデータ値は１０ｌｘ下降する。
【００３０】
また、調整ボタン３３８において、ＵＰボタンが１回押下操作されると、表示フィールド３３３に表示される風量のデータ値は１段階レベルアップする。例えば、表示されている風量のデータ値が“中”の場合に、調整ボタン３３８のＵＰボタンが１回押下操作されると、表示フィールド３３３に表示される風量のデータ値は“強”にレベルアップする。一方、調整ボタン３３８において、ＤＯＷＮボタンが１回押下操作されると、表示フィールド３３３に表示される風量のデータ値は１段階レベルダウンする。例えば、表示されている風量のデータ値が“中”の場合に、調整ボタン３３８のＤＯＷＮボタンが１回押下操作されると、表示フィールド３３３に表示される風量のデータ値は“弱”にレベルダウンする。
【００３１】
また、調整ボタン３３９において、ＵＰボタンが１回押下操作されると、表示フィールド３３４に表示される風向のデータ値は上方側に１段階変化する。例えば、表示されている風向のデータ値が“水平”の場合に、調整ボタン３３９のＵＰボタンが１回押下操作されると、表示フィールド３３４に表示される風向のデータ値は“上向き”に変化する。一方、調整ボタン３３９において、ＤＯＷＮボタンが１回押下操作されると、表示フィールド３３４に表示される風向のデータ値は下方側に１段階変化する。例えば、表示されている風向のデータ値が“水平”の場合に、調整ボタン３３９のＤＯＷＮボタンが１回押下操作されると、表示フィールド３３４に表示される風向のデータ値は“下向き”に変化する。
【００３２】
ユーザは、上記のような操作を行い、所望の環境状態の要素（例えば、室温）の変更が完了すると、ＧＵＩボタンであるＯＫボタン３４１を押下操作する。ＯＫボタン３４１が押下操作されると、操作端末３は、環境状態の変更を通知するためのデータ（以下、変更通知データという。）を制御装置２に送信する。変更通知データには、例えば、変更された環境状態の要素を識別する情報と、変更後のデータ値とが格納される。これにより、ユーザの環境変更操作は完了する。
【００３３】
図１に戻り、第１環境センサ４は、部屋Ａの空気環境を評価するためのデータ、換言すると、部屋Ａの空気状態を示すデータ（以下、空気状態データという。）を計測するセンサであり、通信線８ｂを介して制御装置２と通信可能に接続する。詳細には、第１環境センサ４は、一定時間間隔（例えば、１分間隔）で、空気状態データとして、室温、湿度及び気流を計測し、計測した空気状態データと計測時刻を示す情報とが格納されたデータ（以下、第１環境データ）を制御装置２に送信する。本実施形態において、第１環境センサ４により計測される気流には、風量と風向が含まれる。なお、第１環境センサ４は、無線通信により、第１環境データを制御装置２に送信してもよい。
【００３４】
第２環境センサ５は、部屋Ａの照明環境を評価するためのデータ、換言すると、部屋Ａの照明状態を示すデータ（以下、照明状態データという。）を計測するセンサであり、通信線８ｃを介して制御装置２と通信可能に接続する。詳細には、第２環境センサ５は、一定時間間隔（例えば、１分間隔）で、照明状態データとして、照度を計測し、計測した照度と計測時刻を示す情報とが格納されたデータ（以下、第２環境データ）を制御装置２に送信する。なお、第２環境センサ５は、無線通信により、第２環境データを制御装置２に送信してもよい。
【００３５】
空調機６は、本発明に係る調整機器の一例である。空調機６は、通信線８ｄを介して制御装置２と通信可能に接続される。なお、空調機６は、無線により制御装置２と通信してもよい。空調機６は、制御装置２からの空調制御データに従って部屋Ａの空調を行う。空調機６は、より詳細には、天井埋込タイプあるいは壁掛タイプの室内機であり、屋外に設置された室外機（図示せず）と図示しない通信線を介して通信可能に接続されると共に、冷媒を循環させるための冷媒配管により接続されている。
【００３６】
空調機６は、制御装置２からの空調制御データを受信すると、当該空調制御データに従った動作を行うと共に、自機の動作情報を室外機に送信する。動作情報には、運転中又は停止中を示す情報、サーモオン又はサーモオフを示す情報、冷房、暖房、除湿、送風などの運転モードを示す情報、設定風量、設定温度、設定湿度などの設定値を示す情報などが含まれる。空調機６からの動作情報を受信した室外機は、当該動作情報で示される動作を空調機６が行えるように、圧縮器、凝縮器、膨張弁、蒸発器等を備える冷媒回路の運転を行う。
【００３７】
照明器７は、本発明に係る調整機器の一例である。照明器７は、部屋Ａの天井に設置され、部屋Ａの照明を行う。照明器７は、通信線８ｅを介して制御装置２と通信可能に接続される。なお、照明器７は、無線により制御装置２と通信してもよい。照明器７は、制御装置２からの照明制御データに従って、点灯又は消灯し、点灯時には、当該照明制御データで指定された照度で照明を行う。
【００３８】
続いて、制御装置２の機能について説明する。制御装置２は、機能的には、図９に示すように、環境データ受信部２００と、ユーザインタフェース部２０１と、認証部２０２と、機器制御部２０３と、学習部２０４とを備える。これらの機能部は、ＣＰＵ２１によって、二次記憶装置２４に記憶される環境調整プログラム２４０が実行されることで実現される。
【００３９】
環境データ受信部２００は、第１環境センサ４から一定時間間隔（本実施形態では、１分間隔）で送られてくる前述の第１環境データを受信する。環境データ受信部２００は、受信した第１環境データに格納される空気状態データと計測時刻を環境履歴ＤＢ２４１に格納する。また、環境データ受信部２００は、第２環境センサ５から一定時間間隔（本実施形態では、１分間隔）で送られてくる前述の第２環境データを受信する。環境データ受信部２００は、受信した第２環境データに格納される照明状態データと計測時刻を環境履歴ＤＢ２４１に格納する。環境履歴ＤＢ２４１は、部屋Ａの環境状態を示すデータ（即ち、空気状態データと照明状態データ）の履歴が保存されるデータベースである。前述したように、空気状態データには、第１環境センサ４により計測された室温、温度及び気流が含まれる。また、照明状態データには、第２環境センサ５により計測された照度が含まれる。
【００４０】
また、環境データ受信部２００は、第１環境センサ４からの第１環境データを受信すると、受信した第１環境データに格納される空気状態データを機器制御部２０３に通知する。同様に、環境データ受信部２００は、第２環境センサ５からの第２環境データを受信すると、受信した第２環境データに格納される照明状態データを機器制御部２０３に通知する。機器制御部２０３は、空調機６を制御する際に、通知された空気状態データを使用する。また、機器制御部２０３は、照明器７を制御する際に、通知された照明状態データを使用する。
【００４１】
ユーザインタフェース部２０１は、本発明に係る取得手段の一例である。ユーザインタフェース部２０１は、操作端末３を介したユーザによる各種の操作、即ち、入室操作、退室操作及び環境変更操作に応じた処理を行う。詳細には、入室操作において、前述したように、操作端末３から、ユーザの認証の要求を受けると、ユーザインタフェース部２０１は、操作端末３から送信されたユーザネーム及びパスワードを後述する認証部２０２に通知する。そして、認証部２０２から認証ＯＫの通知を受けると、ユーザインタフェース部２０１は、操作端末３に認証ＯＫを通知する。一方、認証部２０２から認証エラーの通知を受けると、ユーザインタフェース部２０１は、操作端末３に認証エラーを通知する。
【００４２】
ユーザインタフェース部２０１は、操作端末３からユーザの入室の通知を受けると、入室履歴ＤＢ２４２を更新すると共に、入室したユーザのユーザネームと、選択された心的状態を示す情報とを機器制御部２０３に通知する。機器制御部２０３は、ユーザインタフェース部２０１から通知された内容に基づいて、後述する学習情報ＤＢ２４５を検索して、当該ユーザの当該心的状態に適した環境状態を取得する。入室履歴ＤＢ２４２は、図１０に示すように、部屋Ａにおけるユーザの入退室の履歴が保存されるデータベースである。また、ユーザインタフェース部２０１は、操作端末３からユーザの退室の通知を受けると、入室履歴ＤＢ２４２を更新すると共に、ユーザの退出を機器制御部２０３及び学習部２０４に通知する。
【００４３】
また、ユーザインタフェース部２０１は、操作端末３から、環境状態の要求を受けると、環境履歴ＤＢ２４１から最新の環境状態を示すデータ、即ち、最新の空気状態データ及び照度状態データを取得し、これらが格納された応答データを操作端末３に送信する。かかる応答データを受信すると、操作端末３は、前述した図８に示す変更受付画面３３０を表示する。
【００４４】
また、操作端末３から前述の変更通知データを受信すると、ユーザインタフェース部２０１は、操作履歴ＤＢ２４３を更新すると共に、環境状態の変更を機器制御部２０３に通知する。この際、例えば、ユーザインタフェース部２０１は、変更された環境状態の要素を識別する情報と変更後のデータ値を機器制御部２０３に通知する。操作履歴ＤＢ２４３は、ユーザによる環境変更操作の履歴が保存されるデータベースであり、図１１に示すように、操作時刻と、ユーザネームと、変更内容とを対応付けたレコードが登録される。変更内容には、変更された環境状態を識別する情報（例えば、項目名）と変更後のデータ値とが対応付けて格納される。
【００４５】
図９に戻り、認証部２０２は、個人情報ＤＢ２４４を参照して、ユーザインタフェース部２０１から通知されたユーザネーム及びパスワードの認証を行う。個人情報ＤＢ２４４は、環境調整システム１によるサービスの提供を受けるために事前に登録済みの各ユーザの個人情報が保存されるデータベースである。個人情報ＤＢ２４４には、図１２に示すように、ユーザネームと、パスワードと、氏名と、性別と、生年月日と、連絡先とを対応付けたレコードが、ユーザの数だけ登録されている。認証部２０２は、ユーザインタフェース部２０１から通知されたユーザネーム及びパスワードが格納されたレコードが、個人情報ＤＢ２４４に存在する場合、認証ＯＫをユーザインタフェース部２０１に通知する。一方、認証部２０２は、通知されたユーザネーム及びパスワードが格納されたレコードが、個人情報ＤＢ２４４に存在しない場合、認証エラーをユーザインタフェース部２０１に通知する。
【００４６】
機器制御部２０３は、本発明に係る機器制御手段の一例である。機器制御部２０３は、ユーザインタフェース部２０１から、入室したユーザのユーザネームと、選択された心的状態を示す情報の通知を受けると、学習情報ＤＢ２４５を参照して、当該ユーザの当該選択された心的状態に対応する良好な環境状態情報を取得する。学習情報ＤＢ２４５は、心的状態を示す心的状態情報と、部屋Ａの良好な環境状態を示す環境状態情報をユーザ別に対応付けたデータベースである。学習情報ＤＢ２４５は、後述する学習部２０４の学習によって構築される。図１３に、学習情報ＤＢ２４５の一例を示す。
【００４７】
本実施形態では、心的状態情報とは、“リラックス”、“集中”及び“リフレッシュ”の各々を識別する情報である。また、本実施形態では、環境状態情報には、環境状態の各要素のデータ値の範囲、即ち、室温、湿度、風量、風向及び照明のデータ値の範囲が含まれている。図１３の例では、ユーザネーム“Ａ１２３４５６７”のユーザが部屋Ａにて“リラックス”したい場合、部屋Ａの環境状態が、室温：２５〜２６．５度、湿度：５８〜６０％、風量の大きさ：弱〜中、風向：下向き〜水平、照度：２００〜４００lxであるのが良好、即ち、望ましいことが判る。
【００４８】
機器制御部２０３は、学習情報ＤＢ２４５から取得した、入室したユーザの選択した心的状態に対応する環境状態情報に基づいて、空調機６及び照明器７を制御する。即ち、機器制御部２０３は、当該ユーザの当該心的状態に対応する良好な室温、湿度、風量及び風向となるように空調機６を制御するための空調制御データを生成し、空調機６に送信する。また、機器制御部２０３は、当該ユーザの当該心的状態に対応する良好な照度となるように照明器７を制御するための照明制御データを生成し、照明器７に送信する。
【００４９】
また、機器制御部２０３は、ユーザインタフェース部２０１から環境状態の変更の通知を受けると、当該通知の内容に従って、空調機６及び／又は照明器７を制御する。例えば、ユーザインタフェース部２０１からの当該通知が、室温を２６度に変更することを示す場合、機器制御部２０３は、部屋Ａの室温が２６度となるように空調機６を制御する。
【００５０】
機器制御部２０３は、ユーザインタフェース部２０１からユーザの退室の通知を受けると、空調機６を停止させ、照明器７を消灯させる。あるいは、機器制御部２０３は、ユーザインタフェース部２０１からユーザの退室の通知を受けると、部屋Ａが予め定めた空気環境及び照明環境で維持されるように空調機６及び照明器７を制御してもよい。
【００５１】
機器制御部２０３は、以上のようにして空調機６及び照明器７を制御する際、その制御内容を制御履歴ＤＢ２４６に格納する。制御履歴ＤＢ２４６は、空調機６及び照明器７に対する制御内容の履歴が保存されるデータベースである。
【００５２】
学習部２０４は、本発明に係る学習手段の一例である。学習部２０４は、ユーザが選択した（即ち、希望する）心的状態と、部屋Ａの良好な環境状態との関係を学習し、学習した関係に基づいて学習情報ＤＢ２４５を更新することで、学習情報ＤＢ２４５を構築する。学習部２０４は、ユーザインタフェース部２０１から、ユーザの退室の通知を受けると、環境状態の要素毎（即ち、室温、湿度、風量、風向、照度）に、学習が必要か否かの判定（以下、学習要否判定という。）を行う。本実施形態では、ユーザが、環境状態におけるある要素について、最後に変更操作を行ってからの経過時間（以下、未操作時間という。）が、予め定めた基準時間（例えば、３０分）以上の場合、当該要素について学習が必要であると判定し、未操作時間が基準時間に達していない場合は、当該要素について学習が必要でないと判定する。なお、入室してから１度も当該要素について変更操作を行っていない場合は、入室から退出までの時間（即ち、在室時間）が、当該要素に対応する未操作時間とみなされる。
【００５３】
上記の学習要否判定について、図１４に示す状況を例にして具体的に説明する。図１４では、ユーザが、部屋Ａに８時３５分に入室し、９時に室温の変更操作を行い、１０時３０分に照度の変更操作を行い、１０時５０分に退室した状況が示されている。かかる状況において、上記の基準時間が３０分であるとすると、学習部２０４は、環境状態における照度以外の全要素（即ち、室温、湿度、風量、風向）について、学習の必要があると判定する。このような学習要否判定をおこなうことで、学習結果の精度、ひいては、学習情報ＤＢ２４５の精度を高めることができる。
【００５４】
学習部２０４は、学習の必要があると判定した全ての要素について、環境履歴ＤＢ２４１と、学習情報ＤＢ２４５と、制御履歴ＤＢ２４６とに基づいて、当該ユーザの当該心的状態における良好な状態を学習し、学習した結果に基づいて、学習情報ＤＢ２４５を更新する。なお、環境調整システム１によるサービスの利用回数が少ないユーザに対しても、ある程度の良好な環境を提供できるように、学習情報ＤＢ２４５には、予め基礎データが登録されている。
【００５５】
図１５は、制御装置２によって実行される環境調整処理の手順を示すフローチャートである。環境データ受信部２００は、第１環境センサ４からの第１環境データ又は第２環境センサ５からの第２環境データを受信すると（ステップＳ１０１；ＹＥＳ）、環境履歴ＤＢ２４１を更新する（ステップＳ１０２）。即ち、環境データ受信部２００は、受信した第１環境データに格納される空気状態データと計測時刻、又は、受信した第２環境データに格納される照明状態データと計測時刻を環境履歴ＤＢ２４１に格納する。また、環境データ受信部２００は、空気状態データ又は照明状態データを機器制御部２０３に通知する。
【００５６】
ユーザが入室した場合、詳細には、ユーザの入室操作が完了し、操作端末３からユーザの入室の通知を受けると（ステップＳ１０３；ＹＥＳ）、ユーザインタフェース部２０１は、入室履歴ＤＢ２４２を更新する（ステップＳ１０４）。また、ユーザインタフェース部２０１は、入室したユーザのユーザネームと、選択された心的状態を示す情報とを機器制御部２０３に通知する。機器制御部２０３は、学習情報ＤＢ２４５から、入室したユーザの選択した心的状態に対応する環境状態情報を取得する（ステップＳ１０５）。機器制御部２０３は、取得した環境状態情報に基づいて、空調機６及び照明器７を制御する（ステップＳ１０６）。ステップＳ１０６の後、ステップＳ１０１に戻る。
【００５７】
ユーザにより環境状態の変更操作が行われた場合（ステップＳ１０７；ＹＥＳ）、ユーザインタフェース部２０１は、操作履歴ＤＢ２４３を更新する（ステップＳ１０８）。また、ユーザインタフェース部２０１は、環境状態の変更を機器制御部２０３に通知する。機器制御部２０３は、かかる通知の内容、即ち、ユーザの変更操作の内容に基づいて、空調機６及び／又は照明器７を制御する（ステップＳ１０９）。ステップＳ１０９の後、ステップＳ１０１に戻る。
【００５８】
ユーザが退室していない場合（ステップＳ１１０；ＮＯ）、ステップＳ１０１に戻る。一方、ユーザが退室した場合、詳細には、ユーザの退室操作が完了し、操作端末３からユーザの退室の通知を受けると（ステップＳ１１０；ＹＥＳ）、ユーザインタフェース部２０１は、入室履歴ＤＢ２４２を更新する（ステップＳ１１１）。また、ユーザインタフェース部２０１は、ユーザの退室を機器制御部２０３及び学習部２０４に通知する。機器制御部２０３は、ユーザの退室に係る予め定めた内容で空調機６及び照明器７を制御する（ステップＳ１１２）。この際、例えば、機器制御部２０３は、空調機６を停止させ、照明器７を消灯させたり、あるいは、部屋Ａが予め定めた空気環境及び照明環境で維持されるように空調機６及び照明器７を制御する。また、学習部２０４は、学習処理を実行する（ステップＳ１１３）。ステップＳ１１３の後、ステップＳ１０１に戻る。
【００５９】
図１６は、制御装置２の学習部２０４によって実行される学習処理の手順を示すフローチャートである。学習部２０４は、前述したように、環境状態を構成する各要素（即ち、室温、湿度、風量、風向、照度）について、学習要否を判定する（ステップＳ２０１）。その結果、学習が必要な要素がない場合（ステップＳ２０２；ＮＯ）、学習処理は終了し、図１５のステップＳ１０１に戻る。
【００６０】
一方、学習が必要な要素がある場合（ステップＳ２０２；ＹＥＳ）、学習部２０４は、当該要素について、環境履歴ＤＢ２４１と、学習情報ＤＢ２４５と、制御履歴ＤＢ２４６とに基づいて、当該ユーザの当該心的状態における良好な状態を学習する（ステップＳ２０３）。そして、学習部２０４は、学習した結果に基づいて、学習情報ＤＢ２４５を更新する（ステップＳ２０４）。
【００６１】
学習要否を判定していない要素がある場合（ステップＳ２０５；ＹＥＳ）、ステップＳ２０１に戻り、学習要否を判定していない要素がない、即ち、環境状態を構成する全ての要素について学習要否を判定した場合（ステップＳ２０５；ＮＯ）、学習処理は終了し、図１５のステップＳ１０１に戻る。
【００６２】
以上説明したように、実施形態１に係る環境調整システム１では、部屋Ａの環境状態を、入室したユーザの心的状態に対応する良好な状態となるように適切に調整することができる。
【００６３】
実施形態１の変形例として、図１７に示すように、ユーザが携帯する、スマートフォン、タブレット端末等の操作端末３Ａにより、ユーザから、入退室操作と、環境変更操作の入力を受け付けるようにしてもよい。この場合、操作端末３Ａには、前述した操作受付プログラムが予めインストールされている。
【００６４】
また、ユーザの退室を人感センサにより検出してもよい。このようにすると、ユーザは、退室操作をする必要がない。
【００６５】
また、学習部２０４の学習処理において、学習要否判定で学習が必要であると判定された要素であっても、現在のデータ値が、学習情報ＤＢ２４５に登録されているデータ値の範囲、即ち、今までの学習結果と大きく乖離している場合（詳細には、予め定めた範囲を超えて乖離している場合）は、当該要素を学習対象から外してもよい。このようにすることで、学習の精度を高め、結果として、学習情報ＤＢ２４５の精度を高めることができる。
【００６６】
また、学習部２０４は、部屋Ａにおけるユーザの位置と空調機６及び照明器７との位置関係も勘案して学習処理を行ってもよい。この場合、制御装置２は、ＣＣＤ（Charge-Coupled Device）又はＣＭＯＳ（Complementary Metal Oxide Semiconductor）等のイメージセンサを備えるカメラによって撮像された画像を解析することで、ユーザの位置を検出する。あるいは、図１７に示すように、ユーザが携帯する操作端末３Ａにより、ユーザから入退室操作と環境変更操作の入力を受け付ける場合、制御装置２は、操作端末３Ａとの通信により、ユーザの位置を検出してもよい。空調機６及び照明器７の位置に関する情報については、二次記憶装置２４に予め保存されているものとする。
【００６７】
実施形態２．
続いて、本発明の実施形態２について説明する。なお、以下の説明において、実施形態１と共通する構成要素等については、同一の符号を付し、その説明を省略する。
【００６８】
図１８は、実施形態２に係る環境調整システム１Ａの全体構成を示す図である。前述した実施形態１の環境システム１は、１人のユーザによって利用される部屋Ａの環境を調整するシステムであった。これに対し、実施形態２の環境システム１Ａは、複数のユーザによって利用され得る部屋Ｘの環境を調整する。環境調整システム１Ａは、制御装置２Ａと、操作端末３Ｂと、第１環境センサ４と、第２環境センサ５と、空調機６と、照明器７とを備える。
【００６９】
制御装置２Ａは、例えば、部屋Ｘの内外の適切な場所に設置され、部屋Ｘに設置された空調機６及び照明器７の動作を制御して、部屋Ｘ（即ち、調整対象エリア）の環境を調整する。制御装置２Ａのハードウェア構成は、実施形態１の操作端末３と同様である（図２参照）。但し、制御装置２Ａの二次記憶装置２４には、図１９に示すように、実施形態１の制御装置２における環境調整プログラム２４０の代わりに環境調整プログラム２４０Ａが記憶され、操作履歴ＤＢ２４３の代わりに要望履歴ＤＢ２４７が記憶されている。
【００７０】
環境調整プログラム２４０Ａは、部屋Ｘを個々のユーザの心的状態に適応した快適な環境に調整するための処理が記述されたプログラムである。要望履歴ＤＢ２４７の詳細については後述する。
【００７１】
制御装置２Ａの機能構成を図２０に示す。制御装置２Ａは、実施形態１の制御装置２におけるユーザインタフェース部２０１、機器制御部２０３及び学習部２０４の代わりに、ユーザインタフェース部２０１Ａ、機器制御部２０３Ａ及び学習部２０４Ａを備える。ユーザインタフェース部２０１Ａ、機器制御部２０３Ａ及び学習部２０４Ａの詳細については後述する。
【００７２】
図１８に戻り、操作端末３Ｂは、部屋Ｘを利用するユーザから、入退室に係る操作と、環境に対する要望に係る操作の入力を受け付ける装置である。操作端末３Ｂのハードウェア構成は、実施形態１の操作端末３と同様である（図４参照）。但し、操作端末３Ｂの二次記憶装置３４に記憶される操作受付プログラムの内容は、操作端末３の二次記憶装置３４に記憶される操作受付プログラムと相違する。
【００７３】
図２１に、操作端末３Ｂにより表示されるトップメニュー画面３００Ａの一例を示す。トップメニュー画面３００Ａでは、実施形態１のトップメニュー画面３００（図５参照）における環境変更ボタン３０３が設けられていない。これは、部屋Ｘでは、複数のユーザが在室する可能性があるため、ユーザ個別の所望の環境変更操作を受け付けないようにしているためである。
【００７４】
実施形態１と同様、ユーザは、部屋Ｘに入室し、部屋Ｘの利用を開始する際、入室に係る操作（以下、入室操作という。）を行う必要がある。そのため、ユーザは、先ず、入室ボタン３０１を押下操作する。入室ボタン３０１が押下操作されると、操作端末３Ｂは、図６に示すユーザ認証画面３１０を表示する。
【００７５】
ユーザは予め登録されている自己のユーザネーム及びパスワードをユーザ認証画面３１０の入力フィールド３１１，３１２に入力し、ＧＵＩボタンであるＯＫボタン３１３を押下操作する。ＯＫボタン３１３が押下操作されると、操作端末３Ｂは、ユーザにより入力されたユーザネーム及びパスワードを制御装置２Ａに送信し、ユーザの認証を要求する。制御装置２Ａから認証ＯＫが返信されると、操作端末３Ｂは、図７に示す心的状態選択画面３２０を表示する。
【００７６】
操作端末３Ｂは、心的状態選択画面３２０において、ＯＫボタン３２４が押下操作されると、制御装置２Ａにユーザの入室を通知する。この通知には、ユーザによりチェックが入れられたラジオボタンに対応する心的状態、即ち、ユーザが選択した心的状態を示す情報が含まれる。
【００７７】
ユーザインタフェース部２０１Ａは、操作端末３Ｂから、ユーザの認証の要求を受けると、操作端末３Ｂから送信されたユーザネーム及びパスワードを認証部２０２に通知する。そして、認証部２０２から認証ＯＫの通知を受けると、ユーザインタフェース部２０１Ａは、操作端末３Ｂに認証ＯＫを通知する。一方、認証部２０２から認証エラーの通知を受けると、ユーザインタフェース部２０１Ａは、操作端末３Ｂに認証エラーを通知する。
【００７８】
ユーザインタフェース部２０１Ａは、操作端末３Ｂからユーザの入室の通知を受けると、入室履歴ＤＢ２４２を更新すると共に、入室したユーザのユーザネームと、選択された心的状態を示す情報とを機器制御部２０３Ａに通知する。
【００７９】
また、ユーザは、部屋Ｘの利用が終わり、退室する際、退室に係る操作（以下、退室操作という。）を行う必要がある。そのため、ユーザは、トップメニュー画面３００Ａにおける退室ボタン３０２を押下操作する。退室ボタン３０２が押下操作されると、操作端末３Ｂは、図２２に示す要望確認画面３５０を表示する。要望確認画面３５０には、何れもＧＵＩボタンであるＹＥＳボタン３５１とＮＯボタン３５２が設けられている。
【００８０】
ユーザは、部屋Ｘの環境について要望がある場合、ＹＥＳボタン３５１を押下操作し、要望がない場合、ＮＯボタン３５２を押下操作する。ユーザによりＮＯボタン３５２が押下操作されると、操作端末３Ｂは、制御装置２Ａに、ユーザの退室を通知する。この通知には、環境に対する要望がないことを示す情報が含まれる。一方、ユーザによりＹＥＳボタン３５１が押下操作されると、操作端末３Ｂは、図２３に示す要望受付画面３６０を表示する。要望受付画面３６０の画面構成は、実施形態１における変更受付画面３３０（図８参照）と同様である。要望受付画面３６０の表示当初において、図２３に示すように、制御装置２Ａから取得した環境状態を構成する各要素のデータ値が表示される。
【００８１】
詳細には、要望受付画面３６０の表示当初において、図２３に示すように、表示フィールド３６１〜３６５には、それぞれ、部屋Ｘの現在の室温、湿度、風量、風向及び照度の各データ値が表示される。
【００８２】
また、要望受付画面３６０には、表示フィールド３６１〜３６５の各々に対応付けて、調整ボタン３６６〜３７０が設けられている。調整ボタン３６６〜３７０の各々は、ＧＵＩボタンであり、ＵＰボタンとＤＯＷＮボタンとで構成される。調整ボタン３６６において、ＵＰボタンが１回押下操作されると、表示フィールド３６１に表示される室温のデータ値は０．５度上昇し、一方、ＤＯＷＮボタンが１回押下操作されると、表示フィールド３６１に表示される室温のデータ値は０．５度下降する。
【００８３】
また、調整ボタン３６７において、ＵＰボタンが１回押下操作されると、表示フィールド３６２に表示される湿度のデータ値は１％ポイント上昇し、一方、ＤＯＷＮボタンが１回押下操作されると、表示フィールド３６２に表示される湿度のデータ値は１％ポイント下降する。また、調整ボタン３７０において、ＵＰボタンが１回押下操作されると、表示フィールド３６５に表示される照度のデータ値は１０ｌｘ上昇し、一方、ＤＯＷＮボタンが１回押下操作されると、表示フィールド３６５に表示される照度のデータ値は１０ｌｘ下降する。
【００８４】
また、調整ボタン３６８において、ＵＰボタンが１回押下操作されると、表示フィールド３６３に表示される風量のデータ値は１段階レベルアップし、一方、ＤＯＷＮボタンが１回押下操作されると、表示フィールド３６３に表示される風量のデータ値は１段階レベルダウンする。また、調整ボタン３６９において、ＵＰボタンが１回押下操作されると、表示フィールド３６４に表示される風向のデータ値は上方側に１段階変化し、一方、ＤＯＷＮボタンが１回押下操作されると、表示フィールド３６４に表示される風向のデータ値は下方側に１段階変化する。
【００８５】
ユーザは、上記のような操作を行い、所望の環境状態の要素（例えば、室温）について、要望するデータ値の設定が完了すると、ＧＵＩボタンであるＯＫボタン３７１を押下操作する。ＯＫボタン３７１が押下操作されると、操作端末３Ｂは、制御装置２Ａに、ユーザの退室を通知する。この通知には、環境に対する要望があることを示す情報と、ユーザによりデータ値が設定された環境状態の要素を識別する情報と、設定されたデータ値とが格納される。これにより、ユーザの退室操作は完了する。
【００８６】
ユーザインタフェース部２０１Ａは、操作端末３Ｂからユーザの退室の通知を受けると、入室履歴ＤＢ２４２を更新すると共に、ユーザの退出を機器制御部２０３Ａ及び学習部２０４Ａに通知する。また、ユーザにより、要望受付画面３６０を介して、データ値の設定が行われた場合、ユーザインタフェース部２０１Ａは、要望履歴ＤＢ２４７を更新する。要望履歴ＤＢ２４７は、ユーザによる環境に対する要望の履歴が保存されるデータベースであり、図２４に示すように、操作時刻と、ユーザネームと、要望内容とを対応付けたレコードが登録される。要望内容には、データ値が設定された要素を識別する情報と設定されたデータ値とが対応付けて格納される。
【００８７】
機器制御部２０３Ａは、ユーザインタフェース部２０１Ａから、入室したユーザのユーザネームと、選択された心的状態を示す情報の通知を受けると、学習情報ＤＢ２４５を参照して、当該ユーザの当該選択された心的状態に対応する良好な環境状態情報を取得する。機器制御部２０３Ａは、部屋Ｘに先に入室した他のユーザが存在しない場合、学習情報ＤＢ２４５から取得した環境状態情報に基づいて、空調機６及び照明器７を制御する。
【００８８】
一方、部屋Ｘに他のユーザ（例えば、ユーザＡとする。）が既に在室している場合、機器制御部２０３Ａは、ユーザＡの選択した心的状態に対応する環境状態情報と、今回入室したユーザ（例えば、ユーザＢとする。）の選択した心的状態に対応する環境状態情報とを勘案して、空調機６及び照明器７を制御する。詳細には、機器制御部２０３Ａは、双方の環境状態情報における各要素について、重なるデータ値の範囲で空調機６及び照明器７を制御する（図２５参照）。ユーザが３人以上の場合も同様に、機器制御部２０３Ａは、各ユーザに対応する環境状態情報を勘案して、空調機６及び照明器７を制御する。
【００８９】
機器制御部２０３Ａは、ユーザインタフェース部２０１Ａからユーザの退室の通知を受けると、他に在室するユーザが居ない場合、空調機６を停止させ、照明器７を消灯させたり、あるいは、部屋Ｘが予め定めた空気環境及び照明環境で維持されるように空調機６及び照明器７を制御する。一方、ユーザインタフェース部２０１Ａからユーザの退室の通知を受けた際、他に在室するユーザが居る場合、機器制御部２０３Ａは、当該在室する１又は複数のユーザに対応する環境状態情報に基づいて、空調機６及び照明器７を制御する。
【００９０】
学習部２０４Ａは、ユーザが選択した（即ち、希望する）心的状態と、部屋Ｘの良好な環境状態との関係を学習し、学習した関係に基づいて学習情報ＤＢ２４５を更新することで、学習情報ＤＢ２４５を構築する。学習部２０４Ａは、ユーザインタフェース部２０１Ａから、ユーザの退室の通知を受けると、学習が必要か否かの判定（以下、学習要否判定という。）を行う。本実施形態では、ユーザの在室時間が予め定めた基準時間（例えば、３０分）以上の場合、学習が必要であると判定し、在室時間が基準時間に達していない場合は、学習の必要がないと判定する。
【００９１】
学習部２０４Ａは、学習の必要があると判定すると、環境状態を構成する全ての要素について、環境履歴ＤＢ２４１と、要望履歴ＤＢ２４７と、学習情報ＤＢ２４５と、制御履歴ＤＢ２４６とに基づいて、当該ユーザの当該心的状態における良好な状態を学習し、学習した結果に基づいて、学習情報ＤＢ２４５を更新する。なお、環境調整システム１Ａによるサービスの利用回数が少ないユーザに対しても、ある程度の良好な環境を提供できるように、学習情報ＤＢ２４５には、予め基礎データが登録されている。
【００９２】
以上説明したように、実施形態２に係る環境調整システム１Ａでは、複数のユーザが在室する部屋Ｘの環境状態を、個々のユーザの心的状態に対応する良好な状態を勘案して適切に調整することができる。
【００９３】
実施形態２の変形例として、機器制御部２０３Ａは、各ユーザに対応する環境状態情報を勘案して空調機６及び照明器７を制御する際、各ユーザの位置と、空調機６及び照明器７との位置関係により、重み付けを行うようにしてもよい。制御装置２Ａは、ＣＣＤ又はＣＭＯＳ等のイメージセンサを備えるカメラによって撮像された画像を解析することで、各ユーザの位置を検出する。あるいは、図１７に示すように、各ユーザが携帯する操作端末３Ａにより、各ユーザから入退室操作と要望受付操作の入力を受け付ける場合、制御装置２Ａは、各ユーザの操作端末３Ａとの通信により、各ユーザの位置を検出してもよい。空調機６及び照明器７の位置に関する情報については、二次記憶装置２４に予め保存されているものとする。
【００９４】
上記の場合、機器制御部２０３Ａは、空調機６、照明器７により近いユーザに対応する環境状態情報を優先的に取り扱う。
【００９５】
あるいは、機器制御部２０３Ａは、部屋Ｘの利用回数に応じて重み付けを行ってもよい。この場合、利用回数が多いユーザに対応する環境状態情報を優先的に取り扱う。あるいは、機器制御部２０３Ａは、在室時間の長さに応じて重み付けを行ってもよい。この場合、在室時間が長い、即ち、より早く入室したユーザに対応する環境状態情報を優先的に取り扱う。
【００９６】
また、学習部２０４Ａの学習処理において、学習要否判定で学習が必要であると判定された場合であっても、何れかの要素において、現在のデータ値が、学習情報ＤＢ２４５に登録されているデータ値の範囲、即ち、今までの学習結果と大きく乖離している場合（詳細には、予め定めた範囲を超えて乖離している場合）は、当該要素を学習対象から外してもよい。このようにすることで、学習の精度を高め、結果として、学習情報ＤＢ２４５の精度を高めることができる。
【００９７】
なお、本発明は、上記の各実施形態に限定されず、本発明の要旨を逸脱しない範囲での種々の変更は勿論可能である。
【００９８】
例えば、上記の各実施形態では、ユーザの認証をユーザネーム及びパスワードで行っていたが、指紋、虹彩、顔、声紋等の生体認証により行ってもよい。
【００９９】
また、部屋Ａ，Ｘにおいて、空調機６、照明器７は、それぞれ２台以上設置されてもよい。
【０１００】
また、環境調整システム１は、部屋Ａだけでなく、他の複数の部屋の環境を実施形態１及びその変形例と同様に調整してもよいし、環境調整システム１Ａは、部屋Ｘだけでなく、他の複数の部屋の環境を実施形態２及びその変形例と同様に調整してもよい。
【０１０１】
また、上記の各実施形態では、制御装置２，２ＡのＣＰＵ２１によって二次記憶装置２４に記憶されている環境調整プログラム２４０，２４０Ａが実行されることで、制御装置２，２Ａの各機能部（図９、図２０参照）が実現された。
【０１０２】
しかし、制御装置２，２Ａの機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【０１０３】
また、上記の環境調整プログラム２４０，２４０Ａは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、環境調整プログラム２４０，２４０Ａを特定の又は汎用のコンピュータにインストールすることによって、当該コンピュータを上記の各実施形態における制御装置２，２Ａとして機能させることも可能である。
【０１０４】
また、環境調整プログラム２４０，２４０Ａをインターネット上の他のサーバが有するディスク装置等に格納しておき、当該サーバから制御装置２，２Ａに環境調整プログラム２４０，２４０Ａがダウンロードされるようにしてもよい。
【０１０５】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１０６】
本発明は、屋内の環境を調整するシステムに好適に採用され得る。
【符号の説明】
【０１０７】
１，１Ａ  環境調整システム、２，２Ａ  制御装置、３，３Ａ，３Ｂ  操作端末、４  第１環境センサ、５  第２環境センサ、６  空調機、７  照明器、８ａ〜８ｅ  通信線、２０，３２  通信インタフェース、２１  ＣＰＵ、２２  ＲＯＭ、２３  ＲＡＭ、２４，３４  二次記憶装置、２５，３５  バス、３０  入力部、３１  表示部、３３  制御部、２００  環境データ受信部、２０１，２０１Ａ  ユーザインタフェース部、２０２  認証部、２０３，２０３Ａ  機器制御部、２０４，２０４Ａ  学習部、２４０，２４０Ａ  環境調整プログラム、２４１  環境履歴ＤＢ、２４２  入室履歴ＤＢ、２４３  操作履歴ＤＢ、２４４  個人情報ＤＢ、２４５  学習情報ＤＢ、２４６  制御履歴ＤＢ、２４７  要望履歴ＤＢ
【図１】
2019087234.tif 000003
【図２】
2019087234.tif 000004
【図３】
2019087234.tif 000005
【図４】
2019087234.tif 000006
【図５】
2019087234.tif 000007
【図６】
2019087234.tif 000008
【図７】
2019087234.tif 000009
【図８】
2019087234.tif 000010
【図９】
2019087234.tif 000011
【図１０】
2019087234.tif 000012
【図１１】
2019087234.tif 000013
【図１２】
2019087234.tif 000014
【図１３】
2019087234.tif 000015
【図１４】
2019087234.tif 000016
【図１５】
2019087234.tif 000017
【図１６】
2019087234.tif 000018
【図１７】
2019087234.tif 000019
【図１８】
2019087234.tif 000020
【図１９】
2019087234.tif 000021
【図２０】
2019087234.tif 000022
【図２１】
2019087234.tif 000023
【図２２】
2019087234.tif 000024
【図２３】
2019087234.tif 000025
【図２４】
2019087234.tif 000026
【図２５】
2019087234.tif 000027
【手続補正書】
【提出日】令和1年12月20日(2019.12.20)
【手続補正１】
【補正対象書類名】明細書
【補正対象項目名】０００８
【補正方法】変更
【補正の内容】
【０００８】
上記目的を達成するため、本発明に係る制御装置は、
屋内環境を調整する調整機器を制御する制御装置であって、
ユーザの操作を受け付ける操作端末と通信する通信手段と、
心的状態を示す心的状態情報と、前記屋内環境の良好な状態を示す環境状態情報をユーザ別に対応付けたデータベースと、
前記操作端末から前記ユーザが選択した心的状態を取得する取得手段と、
前記取得された心的状態と前記データベースとに基づいて前記調整機器を制御する機器制御手段と、
前記調整機器の調整対象エリアにおける前記ユーザの滞在時間が予め定めた基準時間に達していない場合、又は、前記操作端末が前記ユーザから前記屋内環境の状態の変更を受け付けてから、前記ユーザが前記調整対象エリアから退出するまでの経過時間が前記基準時間に達していない場合を除き、前記取得された心的状態と、前記屋内環境の状態との関係を学習し、学習した関係に基づいて前記データベースを更新する学習手段と、を備える。
【手続補正２】
【補正対象書類名】特許請求の範囲
【補正対象項目名】全文
【補正方法】変更
【補正の内容】
【特許請求の範囲】
【請求項１】
屋内環境を調整する調整機器を制御する制御装置であって、
ユーザの操作を受け付ける操作端末と通信する通信手段と、
心的状態を示す心的状態情報と、前記屋内環境の良好な状態を示す環境状態情報をユーザ別に対応付けたデータベースと、
前記操作端末から前記ユーザが選択した心的状態を取得する取得手段と、
前記取得された心的状態と前記データベースとに基づいて前記調整機器を制御する機器制御手段と、
前記調整機器の調整対象エリアにおける前記ユーザの滞在時間が予め定めた基準時間に達していない場合、又は、前記操作端末が前記ユーザから前記屋内環境の状態の変更を受け付けてから、前記ユーザが前記調整対象エリアから退出するまでの経過時間が前記基準時間に達していない場合を除き、前記取得された心的状態と、前記屋内環境の状態との関係を学習し、学習した関係に基づいて前記データベースを更新する学習手段と、を備える、制御装置。
【請求項２】
屋内環境を調整する調整機器を制御する制御装置であって、
ユーザが前記調整機器の調整対象エリアに入る際、前記ユーザから心的状態の選択を受け付け、前記ユーザが前記調整対象エリアから退出する際、前記ユーザから前記屋内環境に対する要望を受け付ける操作端末と通信する通信手段と、
心的状態を示す心的状態情報と、前記屋内環境の良好な状態を示す環境状態情報をユーザ別に対応付けたデータベースと、
前記操作端末から前記ユーザが選択した心的状態を取得する取得手段と、
前記取得された心的状態と前記データベースとに基づいて前記調整機器を制御する機器制御手段と、
前記調整対象エリアにおける前記ユーザの滞在時間が予め定めた基準時間に達している場合、前記取得された前記ユーザの心的状態と、前記屋内環境の状態との関係を学習し、学習した関係に基づいて前記データベースを更新する学習手段と、を備え、
前記機器制御手段は、前記調整対象エリアに複数のユーザが居る場合、前記取得手段により取得された前記複数のユーザの各々の心的状態と前記データベースとに基づいて前記調整機器を制御する、制御装置。
【請求項３】
前記機器制御手段は、前記調整対象エリアに複数のユーザが居る場合、前記複数のユーザの各々における、位置、前記調整対象エリアの利用回数、前記調整対象エリアの滞在時間の内の少なくとも何れか１つをさらに加味して前記調整機器を制御する、請求項２に記載の制御装置。
【請求項４】
屋内環境を調整する調整機器と、
ユーザの操作を受け付ける操作端末と、
前記調整機器を制御する制御装置と、を備えた環境調整システムであって、
前記制御装置は、
前記操作端末と通信する通信手段と、
心的状態を示す心的状態情報と、前記屋内環境の良好な状態を示す環境状態情報をユーザ別に対応付けたデータベースと、
前記操作端末から前記ユーザが選択した心的状態を取得する取得手段と、
前記取得された心的状態と前記データベースとに基づいて前記調整機器を制御する機器制御手段と、
前記調整機器の調整対象エリアにおける前記ユーザの滞在時間が予め定めた基準時間に達していない場合、又は、前記操作端末が前記ユーザから前記屋内環境の状態の変更を受け付けてから、前記ユーザが前記調整対象エリアから退出するまでの経過時間が前記基準時間に達していない場合を除き、前記取得された心的状態と、前記屋内環境の状態との関係を学習し、学習した関係に基づいて前記データベースを更新する学習手段と、を備える、環境調整システム。
【請求項５】
ユーザが選択した心的状態を取得し、
心的状態を示す心的状態情報と、屋内環境の良好な状態を示す環境状態情報をユーザ別に対応付けたデータベースと、取得した心的状態とに基づいて、前記屋内環境を調整する調整機器を制御し、
前記調整機器の調整対象エリアにおける前記ユーザの滞在時間が予め定めた基準時間に達していない場合、又は、前記ユーザが、前記屋内環境の状態の変更を行ってから、前記調整対象エリアから退出するまでの経過時間が前記基準時間に達していない場合を除き、前記取得した心的状態と、前記屋内環境の状態との関係を学習し、学習した関係に基づいて前記データベースを更新する、環境調整方法。
【請求項６】
ユーザの操作を受け付ける操作端末と通信する通信手段と、心的状態を示す心的状態情報と、屋内環境の良好な状態を示す環境状態情報をユーザ別に対応付けたデータベースとを備えたコンピュータを、
前記操作端末から前記ユーザが選択した心的状態を取得する取得手段、
前記取得された心的状態と前記データベースとに基づいて前記調整機器を制御する機器制御手段、
前記調整機器の調整対象エリアにおける前記ユーザの滞在時間が予め定めた基準時間に達していない場合、又は、前記操作端末が前記ユーザから前記屋内環境の状態の変更を受け付けてから、前記ユーザが前記調整対象エリアから退出するまでの経過時間が前記基準時間に達していない場合を除き、前記取得された心的状態と、前記屋内環境の状態との関係を学習し、学習した関係に基づいて前記データベースを更新する学習手段、として機能させる、プログラム。
【国際調査報告】
2019087234.tif 000028
2019087234.tif 000029
2019087234.tif 000030
2019087234.tif 000031